(57)【要約】【課題】槽内の水位を制御することにより、液面に浮遊した固形物を被処理水の流れにのせてホッパーに向かって移動させ、固形物を被処理水とともにホッパーの上端を越流させて槽外に排出する。【解決手段】被処理水に空気を溶解させた加圧水を供給して被処理水中の懸濁物質を微細気泡に付着させて浮上させる槽と、槽内に設けられ浮上した固形物を回収して外部に排出するホッパーＨとを備えた加圧浮上装置であって、ホッパーＨの下流側に配置された隔壁の上端部に水位調整板２０を設け、水位調整板２０の垂直方向の高さを調整することにより槽内の水位をホッパーＨの上端より高くし、槽内の被処理水の流れを利用して液面に浮遊した固形物をホッパーＨに向かって移動させ、固形物を被処理水とともにホッパーＨの上端を越流させて回収する。【選択図】図２
2014023980.tif 000002
【特許請求の範囲】
【請求項１】
被処理水に空気を溶解させた加圧水を供給して被処理水中の懸濁物質を微細気泡に付着させて浮上させる槽と、前記槽内に設けられ浮上した固形物を回収して外部に排出するホッパーとを備えた加圧浮上装置であって、
前記ホッパーの下流側に配置された隔壁の上端部に水位調整板を設け、該水位調整板の垂直方向の高さを調整することにより前記槽内の水位を前記ホッパーの上端より高くし、
前記槽内の被処理水の流れを利用して液面に浮遊した固形物を前記ホッパーに向かって移動させ、固形物を被処理水とともに前記ホッパーの上端を越流させて回収するようにしたことを特徴とする加圧浮上装置。
【請求項２】
前記ホッパーの下流側に配置された隔壁によって、該隔壁の下流側に処理済みの水を槽外に排出するための槽を形成し、前記水位調整板を越流した水を処理済みの水として槽外に排出するようにしたことを特徴とする請求項１に記載の加圧浮上装置。
【請求項３】
前記水位調整板の垂直方向高さは、該水位調整板に固定されたネジ棒と該ネジ棒を昇降させるナットからなるネジ機構により調整可能であることを特徴とする請求項１又は２に記載の加圧浮上装置。
【請求項４】
前記水位調整板の側面と前記隔壁の側面とを密着させる固定用金具を設けたことを特徴とする請求項１乃至３のいずれか一項に記載の加圧浮上装置。
【請求項５】
前記水位調整板と前記隔壁との間にシール部材を設けたことを特徴とする請求項４に記載の加圧浮上装置。
【請求項６】
前記ホッパーの上流側に、前記槽内の液面に向けて水ジェットを噴射する複数のノズルを設けたことを特徴とする請求項１乃至５のいずれか一項に記載の加圧浮上装置。
【発明の詳細な説明】
【技術分野】
【０００１】
本発明は、加圧浮上装置に係り、特に河川から取水した原水等の被処理水に空気を溶解させた加圧水を供給して被処理水中の懸濁物質を微細気泡に付着させて浮上させ、浮上した固形物を集めて除去する加圧浮上装置に関するものである。
【背景技術】
【０００２】
工場やプラントなどでは大量の水を使用する。使用する水の品質としては、必ずしも飲用水ほどの品質が求められる訳ではなく、工業用水（または工水）と呼ぶ品質の水で十分な場合が多い。このような工業用水を得る方法として、各工場やプラントで、原水を取り入れて、その原水を自前で処理して工業用水を得ることが行われている。ここで、原水とは河川や湖沼から取水されたままの水である。また、処理するとは大小のごみや懸濁物質（ＳＳ）を取り除くことである。
【０００３】
前記原水の処理に一般的に使用される装置として、加圧浮上装置がある。加圧浮上装置では、被処理水を槽に送り、槽の中に凝集剤等の薬液や微細な気泡を供給することで、懸濁物質（ＳＳ）を液面に浮上させて、この浮上した固形物（大きさにより、フロック、スカム、フロスと呼ぶ）を取り除くことによって、水中の懸濁物質を取り除き、工業用水の品質にして槽の外に排出する。通常、原水の供給と処理済みの液の排出は連続的に行われる。
【０００４】
図５および図６は、従来の加圧浮上装置を示す図であり、図５は加圧浮上装置の斜視図、図６は図５のＶＩ−ＶＩ線断面図である。
図５および図６に示すように、加圧浮上装置１００は、四方を囲む外壁と底板とで構成される槽本体１０１を備え、槽本体１０１内には複数の隔壁１０２Ａ，１０２Ｂ，１０２Ｃが設置されている。そして、槽本体１０１の外壁と複数の隔壁１０２Ａ〜１０２Ｃとにより、槽本体１０１内には複数の槽が形成されている。すなわち、外壁と隔壁１０２Ａとの間に槽Ａ、隔壁１０２Ａと隔壁１０２Ｂとの間に内槽Ｂ、隔壁１０２Ｂと隔壁１０２Ｃとの間に槽Ｃ、隔壁１０２Ｃと外壁との間に槽Ｄがそれぞれ形成されている。内槽Ｂの後端部にはホッパーＨが配置されており、ホッパーＨの下端には、槽本体１０１の外部に延びる排出管１１１が接続されている。また、内槽Ｂの中央部には、内槽内の流れを上下に分流するための邪魔板１０２Ｄが配置されている。隔壁１０２Ａは、隔壁１０２Ａの上下に流路が形成されるように上下部が開放されている。隔壁１０２Ｂは、その上端が槽本体１０１の上端近傍まで延びており、下端側にのみ流路が形成されるように下部のみ開放されている。隔壁１０２Ｃは、その下端が底板まで延びており、隔壁１０２Ｃの上端側にのみ流路が形成されるようになっている。
【０００５】
槽Ａには、原水（被処理水）を供給する原水流入管１０３が接続されるとともに空気を溶解させた加圧水を供給する加圧水流入管１０４が接続されている。原水流入管１０３から槽Ａに供給される原水には予め薬液（ポリ塩化アルミニウムなど）が注入されている。槽Ｄには、処理済みの水を工業用水として排出する工水排出管１０５が接続されている。
【０００６】
一方、内槽Ｂの上部前部には左右一対のスプロケット１１３，１１３を有したシャフト１１４が配設されており、内槽Ｂの上部後部にも左右一対のスプロケット１１５，１１５を有したシャフト１１６が配設されている。そして、これら前後のスプロケット１１３，１１５間には、それぞれチェーン１１７，１１７が取り付けられている。そして、左右のチェーン１１７，１１７間には、ゴム板支え１１８を介して複数のゴム板１２０が架け渡されている。図５および図６に示す装置においては、４個のゴム板１２０が設けられている。槽本体１０１の前部側にあるシャフト１１４の端部は、変速機１２１に連結されており、変速機１２１はチェーンを介してモータ１２２に連結されている。すなわち、モータ１２２を駆動することにより、内槽Ｂの上部に設けられた左右一対のチェーン１１７，１１７が走行し、複数のゴム板１２０が内槽Ｂの液面に沿って移動するようになっている。
【０００７】
次に、図５および図６に示すように構成された加圧浮上装置１００の作用を説明する。図５および図６において、原水と薬液は原水流入管１０３から槽Ａに供給され、空気を溶解させた加圧水は加圧水流入管１０４から槽Ａに供給される。加圧水は槽Ａに流入した後に大気圧に減圧されることで大量の微細気泡を発生する。槽Ａに供給された原水の一部、薬液、微細気泡は、矢印で示すように槽Ａ内で混合されながら上昇して隔壁１０２Ａを溢流して内槽Ｂに流入する。なお、矢印で示すように槽Ａから隔壁１０２Ａの下方を通って内槽Ｂに流入する流れもある。そして、槽Ａおよび内槽Ｂにおいて原水中の懸濁物質は固化され、すでに固形物として存在していた不要の固形物とともに凝集し、より分離しやすい固形物（大きさにより、フロック、スカム、フロスと呼ぶ）になり、一部は槽Ａおよび内槽Ｂの底部に沈殿し、大部分は微細気泡に付着して内槽Ｂ内の被処理水の表面に浮上する。内槽Ｂ内の被処理水は、槽Ａからの原水や気泡の供給に押される形で矢印で示すように邪魔板１０２Ｄで上下に分流した後に合流して隔壁１０２Ｂの下方を通って槽Ｃに流入する。そして、被処理水は、矢印で示すように隔壁１０２Ｃの上端をオーバーフローして槽Ｄに流入し、槽Ｄから処理済みの工業用水（工水）として、工水排出管１０５を通って排出され、需要先に送られる。
【０００８】
上記工程中、内槽Ｂにおいて、原水中の懸濁物質の大部分が微細気泡に付着して槽の上部に浮上し、浮上した固形物は内槽Ｂの液面付近に滞留して凝集および固着し、流れの妨げになる。このような固形物の滞留、凝集、固着を防ぐために、従来の装置ではスクレイパー（ゴム板１２０により構成される）で強制的に固形物を掻き出していた。なお、比重が大きく浮上しない固形物は、槽本体１０１の底部より外部に排出していた。図５および図６に示す装置で説明すると以下の通りである。
【０００９】
槽本体１０１の上部の両側に、一連のスプロケット１１３，１１３，１１５，１１５とこれらのスプロケットと噛み合って動くチェーン１１７，１１７を設け、これらの両側のチェーン１１７，１１７にゴム板支え１１８を介して複数のゴム板１２０が取り付けられている。これらのゴム板１２０で固形物を掻き出す場合には、モータ１２２を駆動することにより変速機１２１を介してシャフト１１４を回転させて一連のスプロケット１１３，１１３，１１５，１１５を回転させ、チェーン１１７，１１７を走行させる。これにより、ゴム板１２０は、槽Ａ側からホッパーＨに向かって移動する。ゴム板１２０はその下端が一定の長さ被処理液に浸るように位置決めされている。よって、ゴム板１２０が液面を掻き取りながらホッパーＨの方向に移動することで、液面に浮遊している固形物を被処理水とともに内槽ＢからホッパーＨに掻き出す。ホッパーＨに掻き出された固形物および被処理水は、排出管１１１を介して槽本体１０１の外部に排出される。ゴム板１２０は、ホッパーＨを通過した後に折り返して内槽Ｂの液面の上方を槽Ａに向かって戻り、内槽Ｂ内の被処理液の液面に浮遊している固形物の掻き取り動作を繰り返す。このようにゴム板１２０を送って被処理液の液面の固形物を掻き取る動作を原水処理中連続的に行う。
【先行技術文献】
【特許文献】
【００１０】
【特許文献１】特開平１−２７４８９３号公報
【特許文献２】特開平２−８３０９０号公報
【発明の概要】
【発明が解決しようとする課題】
【００１１】
上述したように、従来の加圧浮上装置においては、ゴム板等により構成されるスクレイパーを常時稼働させて液面に浮遊している固形物を掻き出すようにしているため、以下に列挙するような問題点がある。
１）経年変化でチェーンやスプロケットが摩耗して寸法に誤差が生じると、装置全体から異音が発生すると同時に振動を伴い、場合によりモータと変速機間のチェーンが切れることがある。
２）構成機械部品が多く、且つ装置稼働中は摺動部品の摩耗や腐食等経年劣化による異音の発生や装置全体の振動が激しい。
３）機械部品が不具合（損傷等）を起こした場合には新規交換する必要があるが、部品類は長納期品が多く代替対応ができず、プラント停止に至る場合がある。
４）新規交換部品はいずれも高額であり、各部品共に据え付け寸法が要求されるので工事に時間がかかり、最悪の場合にはプラント停止に至る可能性がある。
【００１２】
本発明者らは、上記１）〜４）に列記する課題が全て機械式のスクレイパーに起因することに着目し、機械式のスクレイパーを用いることなく、液面に浮遊している固形物をホッパーに排出する手段を鋭意研究する過程で以下の知見を得たものである。すなわち、本発明者らは、まず、図５および図６に示す装置の運転中に下端が被処理液の液面に浸っているゴム板（スクレイパー）を除去し、液面に浮遊した固形物を観察したが、固形物は滞留していて固形物の浮遊には一定の挙動は見られなかった。このときの液面はホッパーの上端と略同一面又は上端よりやや下方にあった。次に、本発明者らは、隔壁１０２Ｃの上端に平板を付設して槽内の液面をやや上昇させると、液面に浮遊した固形物がホッパーに向かって流れ、固形物が被処理水とともにホッパーの上端を越流してホッパー内に流入することを見出した。
【００１３】
本発明者らは、上記知見に基づいて、槽内の水位を制御することにより、液面に浮遊した固形物を被処理水の流れにのせてホッパーに向かって移動させ、固形物を被処理水とともにホッパーの上端を越流させて槽外に排出することを着想し、本発明の創案に至ったものである。
すなわち、本発明は、槽内の水位を制御することにより、槽内の被処理水の流れを利用して液面に浮遊した固形物をホッパーに向かって移動させ、固形物を被処理水とともにホッパーの上端を越流させることにより、スクレイパーを用いることなく固形物を槽外に排出できる加圧浮上装置を提供することを目的とする。
【課題を解決するための手段】
【００１４】
上述の目的を達成するため、本発明の加圧浮上装置は、被処理水に空気を溶解させた加圧水を供給して被処理水中の懸濁物質を微細気泡に付着させて浮上させる槽と、前記槽内に設けられ浮上した固形物を回収して外部に排出するホッパーとを備えた加圧浮上装置であって、前記ホッパーの下流側に配置された隔壁の上端部に水位調整板を設け、該水位調整板の垂直方向の高さを調整することにより前記槽内の水位を前記ホッパーの上端より高くし、前記槽内の被処理水の流れを利用して液面に浮遊した固形物を前記ホッパーに向かって移動させ、固形物を被処理水とともに前記ホッパーの上端を越流させて回収するようにしたことを特徴とする。
本発明によれば、水位調整板を用いて槽内の水位を制御することにより、槽内の被処理水の流れを利用して液面に浮遊した固形物をホッパーに向かって移動させ、固形物を被処理水とともにホッパーの上端を越流させることにより、スクレイパーを用いることなく固形物を槽外に排出できる。
【００１５】
本発明の好ましい態様は、前記ホッパーの下流側に配置された隔壁によって、該隔壁の下流側に処理済みの水を槽外に排出するための槽を形成し、前記水位調整板を越流した水を処理済みの水として槽外に排出するようにしたことを特徴とする。
本発明の好ましい態様は、前記水位調整板の垂直方向高さは、該水位調整板に固定されたネジ棒と該ネジ棒を昇降させるナットからなるネジ機構により調整可能であることを特徴とする。
本発明によれば、被処理水の水位調整は水位調整板に取り付けたネジ機構で容易に調整可能である。
【００１６】
本発明の好ましい態様は、前記水位調整板の側面と前記隔壁の側面とを密着させる固定用金具を設けたことを特徴とする。
本発明によれば、固定用金具に雌ネジを形成しておき、締付けボルトを固定用金具の雌ネジに締め込むことにより、水位調整板の側面を隔壁の側面に密着させて水位調整板を隔壁に一体化することができる。
【００１７】
本発明の好ましい態様は、前記水位調整板と前記隔壁との間にシール部材を設けたことを特徴とする。
本発明によれば、水位調整板を隔壁に一体化する際にシール部材を押し潰してシール機能を発揮させることができる。
【００１８】
本発明の好ましい態様は、前記ホッパーの上流側に、前記槽内の液面に向けて水ジェットを噴射する複数のノズルを設けたことを特徴とする。
本発明によれば、液面に浮上した固形物が槽本体の内壁面に付着する等により滞留して被処理水の流れではホッパーまで流れていかない場合に、滞留している固形物に向けて水ジェットを噴射してほぐし、被処理水の流れに乗せるようにすることができる。
【発明の効果】
【００１９】
本発明によれば、槽内の水位を制御することにより、液面に浮遊した固形物を被処理水の流れにのせてホッパーに向かって移動させ、固形物を被処理水とともにホッパーの上端を越流させて槽外に排出することができる。したがって、従来の加圧浮上装置のように、機械式のスクレイパーを設置する必要がない。そのため、従来の装置に比べて以下に列挙する効果を奏する。
１）液面に浮遊した固形物を槽外に排出するための構成部品は水位調整板のみであり、装置の稼働中に摺動するものは一切ないために、部品交換の必要がなくメンテナンスフリーで耐久性に極めて優れている。
２）据え付け精度を要求する部品は一切なく、稼働後、被処理水の性状に応じて、被処理水の水位調整をするだけで済むのでメンテナンスフリーである。被処理水の水位調整は水位調整板に取り付けたネジ機構で容易に調整可能である。
３）電気により稼働させる部分が全くないため、省エネルギを図ることができる。
４）既設の加圧浮上装置を改造する場合には、スクレイパー（ゴム板）を取り外し、水位調整板を取り付けるだけであり、簡易な改造で済み、改造コストは安価である。
【図面の簡単な説明】
【００２０】
【図１】図１は、本発明に係る加圧浮上装置の一実施形態を示す斜視図である。
【図２】図２は、図１のＩＩ−ＩＩ線断面図である。
【図３】図３は、隔壁の上端部に設置された水位調整板および水位調整板の垂直方向の高さを調整する調整機構を示す斜視図である。
【図４】図４は、本発明に係る加圧浮上装置の他の実施形態を示す斜視図である。
【図５】図５は、従来の加圧浮上装置を示す斜視図である。
【図６】図６は、図５のＶＩ−ＶＩ線断面図である。
【発明を実施するための形態】
【００２１】
以下、本発明に係る加圧浮上装置の実施形態を図１乃至図４を参照して説明する。図１乃至図４において、同一または相当する構成要素には、同一の符号を付して重複した説明を省略する。
【００２２】
図１は、本発明に係る加圧浮上装置の一実施形態を示す斜視図である。図２は図１のＩＩ−ＩＩ線断面図である。図１および図２に示すように、加圧浮上装置１は、四方を囲む外壁と底板とで構成される槽本体１１を備え、槽本体１１内には複数の隔壁１２Ａ，１２Ｂ，１２Ｃが設置されている。そして、槽本体１１の外壁と複数の隔壁１２Ａ〜１２Ｃとにより、槽本体１１内には複数の槽が形成されている。すなわち、外壁と隔壁１２Ａとの間に槽Ａ、隔壁１２Ａと隔壁１２Ｂとの間に内槽Ｂ、隔壁１２Ｂと隔壁１２Ｃとの間に槽Ｃ、隔壁１２Ｃと外壁との間に槽Ｄがそれぞれ形成されている。内槽Ｂの後端部にはホッパーＨが配置されており、ホッパーＨの下端には、槽本体１１の外部に延びる排出管２６が接続されている。また、内槽Ｂの中央部には、内槽内の被処理水の流れを上下に分流するための邪魔板１２Ｄが配置されている。隔壁１２Ａは、隔壁１２Ａの上下に流路が形成されるように上下部が開放されている。隔壁１２Ｂは、その上端が槽本体１１の上端近傍まで延びており、下端側にのみ流路が形成されるように下部のみ開放されている。隔壁１２Ｃは、その下端が底板まで延びており、隔壁１２Ｃの上端側にのみ流路が形成されるようになっている。
【００２３】
槽Ａには、原水（被処理水）を供給する原水流入管１３が接続されるとともに空気を溶解させた加圧水を供給する加圧水流入管１４が接続されている。原水流入管１３から槽Ａに供給される原水には予め薬液（ポリ塩化アルミニウムなど）が注入されている。槽Ｄには、処理済みの水を工業用水として排出する工水排出管１５が接続されている。
【００２４】
本発明の加圧浮上装置は、液面に浮遊した固形物を掻き出すための機械式スクレイパーを設置していないが、その代わり、槽内の液位を制御するための水位調整板を備えている。すなわち、図１および図２に示すように、隔壁１２Ｃの上端に水位調整板２０を設置している。水位調整板２０は垂直方向に可動に構成されており、水位調整板２０の高さを調整することにより、槽内の被処理水の水位が調整できるようになっている。すなわち、水位調整板２０の高さを調整することにより、水位調整板２０の上流側にある槽Ｃ、内槽Ｂおよび槽Ａの水位を調整できるようになっている。これにより、槽内の水位をホッパーＨの上端より高くすることができ、被処理水の液面近傍では槽Ａ側からホッパーＨに向かう流れが形成される。そのため、液面に浮遊している固形物を被処理水の流れに乗せて槽Ａ側からホッパーＨに向かって流すことができる。そして、固形物を被処理水とともにホッパーＨの上端を越流させてホッパーＨ内に流入させることができる。この時、ホッパーＨに流す被処理水量は極力少なくすることが肝要であり、後述のネジ付き水位調整板２０を用いて調整を行うことができる。
【００２５】
図３は、隔壁１２Ｃの上端部に設置された水位調整板２０および水位調整板２０の垂直方向の高さを調整する調整機構を示す斜視図である。図３に示すように、隔壁（二点鎖線で示す）１２Ｃの内側、すなわち隔壁１２Ｃの上流側には、水位調整板２０が設置されている。水位調整板２０の上端には、２つのＬ字型の固定用金具２１が溶接等により固定されている。各固定用金具２１の前面２１ｆには雌ネジが形成されている。そして、固定用金具２１の雌ネジには蝶ネジからなる締付けボルト２２が螺合されている。したがって、締付けボルト２２を締め込むことにより、締付けボルト２２の先端が隔壁１２Ｃに当接して隔壁１２Ｃを押し、その結果、水位調整板２０を隔壁１２Ｃの上端部に密着させて水位調整板２０を固定することができる。水位調整板２０と隔壁１２Ｃの間にはシール用パッキンが介装されている。
【００２６】
また、水位調整板２０の上端には、２つのネジ棒２３，２３が固定されており、各ネジ棒２３は上方に延びている。槽本体１１の上端には構造物（二点鎖線で示す）１６，１６が固定されており、構造物１６，１６に前記ネジ棒２３，２３が支持されるようになっている。すなわち、各ネジ棒２３には上下２つのナット２４，２５が螺合されており、上下２つのナット２４，２５により構造物１６を挟み込むことが可能になっている。そして、上下のナット２４，２５は回転可能であるが、上下方向には移動ができないように構造物１６に取り付けられている。これにより、上下のナット２４，２５を時計方向又は反時計方向に回転させると、水位調整板２０を保持しているネジ棒２３が上昇または下降するようになっている。なお、ナット２４，２５を回転する場合、スパナ、モンキー等の工具を使用しなくてもよいように、手回し可能なナットや蝶ナットを設けている。下側のナット２５は蝶ナットである。
【００２７】
図３に示すように構成された調整機構を使用して水位調整板２０の垂直方向の高さを調整する場合には、以下のように行う。
すなわち、各ネジ棒２３に螺合された上下２つのナット２４，２５を回転させてネジ棒２３を上下させ、水位調整板２０を隔壁１２Ｃに対して上下させる。このとき、固定用金具２１に螺合されている締付けボルト２２は緩めてあり、水位調整板２０は上下に移動可能になっている。こうして、水位調整板２０を最適な垂直方向の高さに調整し、水位調整板２０の垂直方向の高さを位置決めする。次に、蝶ネジからなる締付けボルト２２を固定用金具２１の雌ネジに締め込むことにより、水位調整板２０を隔壁１２Ｃの上端部に密着させて水位調整板２０を隔壁１２Ｃに一体化する。このとき、水位調整板２０と隔壁１２Ｃとの間はシール用パッキンによりシールされる。
【００２８】
次に、図１乃至図３に示すように構成された加圧浮上装置１の作用を説明する。原水と薬液は原水流入管１３から槽Ａに供給され、空気を溶解させた加圧水は加圧水流入管１４から槽Ａに供給される。加圧水は槽Ａに流入した後に大気圧に減圧されることで大量の微細気泡を発生する。槽Ａに供給された原水の一部、薬液、微細気泡は、矢印で示すように槽Ａ内で混合されながら上昇して隔壁１２Ａを溢流して内槽Ｂに流入する。なお、矢印で示すように、槽Ａから隔壁１２Ａの下方を通って内槽Ｂに流入する流れもある。そして、槽Ａおよび内槽Ｂにおいて原水中の懸濁物質は、すでに固形物として存在していた不要の固形物とともに凝集し、より分離しやすい固形物（大きさにより、フロック、スカム、フロスと呼ぶ）になり、一部は槽Ａおよび内槽Ｂの底部に沈殿し、大部分は微細気泡に付着して内槽Ｂ内の被処理水の表面に浮上する。内槽Ｂ内の被処理水は、槽Ａからの原水の供給に押される形で矢印で示すように邪魔板１２Ｄで上下に分流した後に合流して隔壁１０２Ｂの下方を通って槽Ｃに流入する。そして、被処理水は、矢印で示すように水位調整板２０の上端を越流（オーバーフロー）して槽Ｄに流入し、槽Ｄから処理済みの工業用水（工水）として、工水排出管１５を通って排出され、需要先に送られる。
【００２９】
上述したように、上記工程中、内槽Ｂにおいて、原水中の懸濁物質の大部分が微細気泡に付着して内槽Ｂ内の被処理水の表面に浮上する。このとき、水位調整板２０の垂直方向の高さは調整されており、内槽Ｂの水位はホッパーＨの上端より高く設定されている。そのため、被処理水の液面近傍では槽Ａ側からホッパーＨに向かう流れが形成されており、液面に浮遊している固形物は被処理水の流れにのって槽Ａ側からホッパーＨに向かって流れる。そして、固形物は被処理水とともにホッパーＨの上端を越流してホッパー内に流入する。ホッパーＨに向かって懸濁物質とともに被処理水が流れるが、この量を極力少なくするため、内槽Ｂの水位はホッパーＨの先端より僅かに高くする必要がある。
【００３０】
図４は、本発明に係る加圧浮上装置の他の実施形態を示す斜視図である。本実施形態の加圧浮上装置は、図１乃至図３に示す加圧浮上装置にノズルを付加したものである。ノズルは、液面に浮上した固形物が槽本体１１の内壁面に付着する等により滞留して被処理水の流れではホッパーＨまで流れていかない場合に、滞留している固形物に向けて水ジェットを噴射してほぐし、被処理水の流れにのせるようにするものである。
図４に示すように、槽本体１１の上部には、槽本体１１内の液面に向かって水ジェットを噴出するための複数のノズル３０が設置されている。複数のノズル３０は、固形物が槽本体１１内の液面のどこに滞留しても対応できるように、ホッパーＨより上流側の液面の全体に水ジェットを噴射できるように配置されている。なお、固形物が滞留しやすい位置が経験等により予めわかっている場合には、複数のノズル３０はこの滞留しやすい位置のみに配置される。複数のノズル３０は、電磁弁３１を備えた配管３２に接続されており、配管３２は水ポンプ等の水供給源に接続されている。なお、電磁弁３１の手前にはノズル３０を詰まらせないようにストレーナ（図示せず）が配置されている。
【００３１】
上述の構成において、電磁弁３１をタイマー等により定期的に開き、水ジェットを槽本体１１内の液面に自動的に噴射するようにしてもよいし、液面に固形物が滞留していることを目視等により確認したときに電磁弁３１を開き、水ジェットを噴射するようにしてもよい。図４に示す加圧浮上装置のその他の構成および作用は、図１乃至図３に示す加圧浮上装置と同様である。
【００３２】
これまで本発明の実施形態について説明したが、本発明は上述の実施形態に限定されず、その技術思想の範囲内において、種々の異なる形態で実施されてよいことは勿論である。
【符号の説明】
【００３３】
１，１００  加圧浮上装置
１２Ａ，１２Ｂ，１２Ｃ，１０２Ａ，１０２Ｂ，１０２Ｃ  隔壁
１１，１０１  槽本体
１２Ｄ，１０２Ｄ  邪魔板
１３，１０３  原水流入管
１４，１０４  加圧水流入管
１５  工水排水管
１６  構造物
２０  水位調整板
２１  固定用金具
２１ｆ  前面
２２  締付けボルト
２３  ネジ棒
２４，２５  ナット
２６  排出管
３０  ノズル
３１  電磁弁
３２  配管
１０５  工水排出管
１１３，１１５  スプロケット
１１４，１１６  シャフト
１１７  チェーン
１１８  ゴム板支え
１２０  ゴム板
１２１  変速機
１２２  モータ
Ａ，Ｃ，Ｄ  槽
Ｂ  内槽
Ｈ  ホッパー
【図１】
2014023980.tif 000003
【図２】
2014023980.tif 000004
【図３】
2014023980.tif 000005
【図４】
2014023980.tif 000006
【図５】
2014023980.tif 000007
【図６】
2014023980.tif 000008